(57)【特許請求の範囲】
【請求項１】
時計の香箱アセンブリ（１）に接合してこれを支持する受け（１１）から一定の距離にある少なくとも１つの地板（１０）を含む時計ムーブメント（１００）であって、
前記香箱アセンブリ（１）は少なくとも１つの香箱用ゼンマイ（２）を含み、
前記ゼンマイ（２）は、前記受け（１１）のそばに配設された香箱ドラム（３）と、角穴車（１２）と一体として回転しかつ共通の軸線（Ｄ）の周りで前記ドラム（３）と同軸である香箱のコア（４）が備える受承表面（５）との間に、第１の端部（２１）が前記香箱ドラム（３）上、第２の端部（２２）が前記受承表面（５）上にあるように設置され、
前記香箱アセンブリ（１）は前記地板側（１０）に、前記ドラム（３）に固定された蓋（７）を含み、
前記蓋（７）及び前記ドラム（３）は共に、前記ゼンマイ（２）を収容するチャンバ（３２）を形成する、時計ムーブメント（１００）において、
前記ゼンマイ（２）は、４４〜４６％のコバルト、２０〜２２％のニッケル、１７〜１９％のクロム、４〜６％の鉄、３〜５％のタングステン、３〜５％のモリブデン、０〜２％のチタン、０〜１％のベリリウムを含み、２００〜２４０ＧＰａのヤング率及び８０〜１００ＧＰａの剪断弾性率を有する、多相のコバルト−ニッケル−クロムベースの合金製であり、９〜２１の幅厚比を有すること、並びに
前記軸線（Ｄ）に対する鋼又はステンレス鋼製の前記コア（４）の最大半径は前記ゼンマイ（２）の最大厚さの９倍未満であること
を特徴とし、並びに
前記ムーブメント（１００）は、少なくとも１つのシムワッシャ（７０）を含む振動制限手段を含み、前記振動制限手段は前記コア（４）とは独立しており、前記コア（４）の肩部（４４）によってガイドされ、前記地板（１０）と前記蓋（７）との間又は前記受け（１１）と前記ドラム（３）との間に挿入されることを更に特徴とする、時計ムーブメント（１００）。
【請求項２】
前記少なくとも１つのシムワッシャ（７０）は、前記肩部（４４）に嵌め込まれることを特徴とする、請求項１に記載の時計ムーブメント（１００）。
【請求項３】
前記振動制限手段は、前記受け（１１）と前記ドラム（３）との間に挿入される第１の前記シムワッシャ（７０）及び前記地板（１０）と前記蓋（７）との間に挿入される第２の前記シムワッシャ（７０）を含むことを特徴とする、請求項１又は２に記載の時計ムーブメント（１００）。
【請求項４】
前記シムワッシャ（７０）は、前記コア（４）が備える又は前記コア（４）と一体である香箱真（１８）及び前記蓋（７）とは独立しており、前記地板（１０）と前記蓋（７）との間に挿入されることを特徴とする、請求項１〜３のいずれか１項に記載の時計ムーブメント（１００）。
【請求項５】
前記コア（４）は、前記地板（１０）及び前記受け（１１）において直接枢動することを特徴とする、請求項１〜４のいずれか１項に記載の時計ムーブメント（１００）。
【請求項６】
前記コア（４）は、前記地板（１０）及び前記受け（１１）において、それぞれ前記蓋（７）及び前記ドラム（３）を介して間接的に枢動することを特徴とする、請求項１〜４のいずれか１項に記載の時計ムーブメント（１００）。
【請求項７】
前記コア（４）は、２つの同軸部品（４Ａ；４Ｂ）を有し、
一方の前記部品（４Ｂ）は前記受け（１１）において直接枢動し、前記ドラム（３）の孔（３５）のためのガイド用肩部（４３）を有し、
他方の前記部品（４Ａ）は、前記地板（１０）において直接枢動し、前記ゼンマイ（２）を引っ掛けるためのフック（４１）を備える
ことを特徴とする、請求項１〜６のいずれか１項に記載の時計ムーブメント（１００）。
【請求項８】
前記ドラム（３）は、前記受け（１１）又は前記受け（１１）が支持するガイド部材（４０３）において枢動し、前記ドラム（３）の移動の終点を制限するために前記受け（１１）又は前記ガイド部材（４０３）の相補的停止表面（１１９）と協働するよう配設された軸方向支持肩部（３９）を含み、
前記蓋（７）は、前記地板（１０）又は前記地板（１０）が支持するガイド部材（１０８）において枢動し、前記蓋（７）の移動の終点を制限するために前記地板（１０）又は前記ガイド部材（１０８）の相補的停止表面（１０９）と協働するよう配設された軸方向支持肩部（７９）を含む
こと、並びに
前記コア（４）は、前記ドラム（３）の前記孔（３５）において枢動する第１の前記肩部（４３）及び前記蓋（７）の孔（７５）において枢動する第２の前記肩部（４４）を含むこと、並びに
前記コア（４）と前記ドラム（３）との間の相対的前後振動は、前記コア（４）の第１の停止表面（４０３０）及び前記ドラム（３）の第１の相補的内側停止表面（３１）によって制限され、前記コア（４）と前記蓋（７）との間の前記相対的前後振動は、前記コア（４）の第２の停止表面（４０７）及び前記蓋（７）の第２の相補的内側表面（７１）によって制限されること
を特徴とする、請求項１〜７のいずれか１項に記載の時計ムーブメント（１００）。
【請求項９】
前記ドラム（３）の前記軸方向支持肩部（３９）及び／又は前記蓋（７）の前記軸方向支持肩部（７９）は、表面接触を低減するために、隅肉（２０２；２０７）で形成されることを特徴とする、請求項８に記載の時計ムーブメント（１００）。
【請求項１０】
前記隅肉（２０２；２０７）は、前記受け（１１）又は前記地板（１０）が支持する前記ガイド部材（４０３；１０８）上に支持されることを特徴とする、請求項９に記載の時計ムーブメント（１００）。
【請求項１１】
前記香箱アセンブリ（１）は、前記香箱アセンブリ（１）と前記地板（１０）又は前記受け（１１）のうちの少なくとも一方との間の前後振動を制限するための手段（６）を含むことを特徴とする、請求項１〜１０のいずれか１項に記載の時計ムーブメント（１００）。
【請求項１２】
前記制限手段（６）は、前記地板（１０）及び／又は前記受け（１１）における前記ドラム（３）及び／又は前記蓋（７）の直接的な枢動をガイドする手段を含むことを特徴とする、請求項１１に記載の時計ムーブメント（１００）。
【請求項１３】
前記制限手段（６）は、シム手段又は前記地板（１０）及び／若しくは前記受け（１１）に対する前記ドラム（３）及び／若しくは前記蓋（７）の移動を制限する手段を含むことを特徴とする、請求項１１に記載の時計ムーブメント（１００）。
【請求項１４】
前記制限手段（６）は、前記ドラム（３）の外側表面（３０）から前記地板（１０）若しくは前記受け（１１）と反対側に突出する少なくとも１つの縁部（２０２）、及び／又は前記地板（１０）若しくは前記受け（１１）の外側表面から突出して前記ドラム（３）の前記外側表面（３０）に面する少なくとも１つの縁部（１０２）を含むことを特徴とする、請求項１１に記載の時計ムーブメント（１００）。
【請求項１５】
前記制限手段（６）は、前記蓋（７）の外側表面（７６）から前記地板（１０）若しくは前記受け（１１）と反対側に突出する少なくとも１つの縁部（２０７）、及び／又は前記地板（１０）若しくは前記受け（１１）の外側表面から突出して前記蓋（７）の前記外側表面（７６）に面する少なくとも１つの縁部（１０７）を含むことを特徴とする、請求項１１に記載の時計ムーブメント（１００）。
【請求項１６】
前記制限手段（６）は、前記コア（４）が支持する前記角穴車（１２）の外側表面（１２１）から前記地板（１０）若しくは前記受け（１１）と反対側に突出する少なくとも１つの縁部（２０１）、及び／又は前記地板（１０）若しくは前記受け（１１）の外側表面から突出して前記角穴車（１２）の前記外側表面（１２１）に面する少なくとも１つの縁部（１０１）を含むことを特徴とする、請求項１４及び１５に記載の時計ムーブメント（１００）。
【請求項１７】
前記受承表面（５）は、前記軸線（Ｄ）に対する回転の表面であることを特徴とする、請求項１〜１６のいずれか１項に記載の時計ムーブメント（１００）。
【請求項１８】
前記ゼンマイ（２）は、摩擦によって前記コア（４）に固定されることを特徴とする、請求項１〜１７のいずれか１項に記載の時計ムーブメント（１００）。
【請求項１９】
前記ゼンマイ（２）は、前記コア（４）と共に、単一部品の、溶接若しくはハンダ付け又はこれらと同等の方法で形成されたゼンマイ−コアサブアセンブリを形成することを特徴とする、請求項１〜１８のいずれか１項に記載の時計ムーブメント（１００）。
【請求項２０】
請求項１〜１９のいずれか１項に記載の少なくとも１つの時計ムーブメント（１００）及び／又は少なくとも１つのエネルギ貯蔵用香箱アセンブリ（１）を含む時計（１０００）であって、
前記アセンブリ（１）は、コア（４）と一体として回転するよう設置される角穴車（１２）又はドラム（３）と一体として回転するよう設置されるドラム歯部（１３）のいずれかによって形成される１つの入力、及びこれら各場合のそれぞれに対して、前記ドラム（３）と一体として回転するよう設置される前記ドラム歯部（１３）又は前記コア（４）と一体として回転するよう設置される前記角穴車（１２）によって形成される１つの出力を有する、時計（１０００）。
【発明の詳細な説明】
【技術分野】
【０００１】
本発明は、時計の香箱アセンブリに接合してこれを支持する受けから一定の距離にある少なくとも１つの地板を含む時計ムーブメントに関し、この香箱アセンブリは少なくとも１つの香箱用ゼンマイを含み、上記ゼンマイは、上記受けのそばに配設された香箱ドラムと、角穴車と一体として回転しかつ共通の枢軸の周りで上記ドラムと同軸である香箱のコアの受承表面との間に、その第１の端部が香箱ドラム上、第２の端部が受承表面上にあるように設置され、上記香箱アセンブリは上記地板側に、上記ドラムに固定された蓋を含み、上記蓋及び上記ドラムは共に、上記ゼンマイを収容するチャンバを形成する。
【０００２】
本発明はまた、少なくとも１つのこのような時計ムーブメントを含む時計にも関する。
【０００３】
本発明は、時計学の分野に関し、より具体的にはムーブメント、時報動作又はその他の時計の機能に動力供給するためのエネルギ貯蔵香箱の分野に関する。
【背景技術】
【０００４】
ゼンマイの回転数を増やすことによりパワーリザーブを増大させるための１つの解決法は、香箱真及び関連するコアの直径を低減することによりドラム内部のゼンマイのために利用可能な空間を増大させることからなる。
【０００５】
ゼンマイの厚さに対するコア半径の比は通常１０〜２０であり、本発明はこの比を１０より小さく、好ましくは５〜１０の範囲内に低減することを提案する。
【０００６】
コア直径が小さすぎる場合、コア破損のリスクがあるため、小さすぎる寸法に寸法決めしてはならない。
【０００７】
従来の香箱の構造において、角穴車は四角形部分を介して香箱真又はコアに軸方向に設置され、角穴車は通常軸方向のネジによって固定される。よってネジ及び四角形部分の寸法は、枢動肩部の最小直径を画定する。枢動肩部に連結される段差部は、地板若しくは宝石若しくは同様の要素を支持する受けに対する香箱真又はコアの軸方向の前後振動を制限する。
【０００８】
ドラムの軸方向の前後振動を制限する段差部と結合した香箱真又はコア上でのドラムの枢動をガイドするための肩部には、段差部よりも大きな直径が必要である。材料の断面を最小とするために必要な立体的連鎖には相当な寸法が必要となり、これを低減するのは困難である。特に、単にすべての寸法を低減すると、材料の断面が耐疲労性を保証するには不十分なものとなってしまうため、これは不十分である。
【０００９】
ＭＡＲＳＨＡＬＬによる特許文献１は、角穴車が、ヒゲゼンマイの外側コイルを引っ掛けるためのフックを含む単一部品の蓋と一体である、香箱を開示している。蓋は地板の肩部によってガイドされ、香箱真の端部をガイドする孔を含む。香箱真は主部である円筒形肩部を有し、これは２つの軸受けを介してドラムをガイドする。この肩部は停止肩部によって制限され、この停止肩部はドラムを地板からある距離に保持し、この地板において香箱真の一端が回転する。一方裏蓋は、地板に対する香箱真の移動を制限するよう配設された停止部を含む。従ってゼンマイは、アーバとドラムとの間ではなく、ドラムと蓋との間に設置される。
【００１０】
ＪＵＮＧＨＡＮＳによる特許文献２は、コアがその上で枢動するパイプを有するドラムを含む香箱を開示し、このコアは四角形部分を介して、受けと地板との間で枢動する香箱真に接続され、角穴車にクランプ留めされる。角穴車の反対側では、香箱真は自動巻き機構と協働する歯付きホイールを支持する。受け上の隅肉は、この歯付きホイールのクリアランスを制限する。
【００１１】
ＫＥＲＮによる特許文献３は、バヨネット及びピンによってドラムに固定された、ドラムを閉鎖するための蓋を有する香箱を開示しており、この蓋は歯部を備える。
【００１２】
ＬＡＮＧＥによる特許文献４は、受けの孔によってドラムがその周縁においてガイドされ、ドラムが支持領域と呼ばれる突出環状表面を含み、この支持領域がドラムの上記ガイド用孔を越えて径方向に延伸して、受け上のドラムのための支持体又は停止部材を提供する、特定の構成に関する。
【先行技術文献】
【特許文献】
【００１３】
【特許文献１】米国特許出願第９９６４９９Ａ号
【特許文献２】スイス特許出願第３１８８９８Ａ号
【特許文献３】米国特許出願第１０３３０２０Ａ号
【特許文献４】欧州特許出願第１５４２０９８Ａ２号
【発明の概要】
【発明が解決しようとする課題】
【００１４】
様々な構成部品の寸法決めに関するこれらの物理的制限のために、上述した従来の構成とは異なる香箱の構成を想定することが必要である。
【００１５】
本発明は、コア直径の減少を達成するための複数の解決法を考慮する。
【００１６】
実質的な制約は、必要に応じてゼンマイを交換するためにアセンブリを分解できることを保証することである。
【課題を解決するための手段】
【００１７】
従って本発明は、時計の香箱アセンブリに接合してこれを支持する受けから一定の距離にある少なくとも１つの地板を含む時計ムーブメントであって、この香箱アセンブリは少なくとも１つの香箱用ゼンマイを含み、上記ゼンマイは、上記受けのそばに配設された香箱ドラムと、角穴車と一体として回転しかつ共通の枢軸の周りで上記ドラムと同軸である香箱のコアの受承表面との間に、その第１の端部が香箱ドラム上、第２の端部が受承表面上にあるように設置され、上記香箱アセンブリは上記地板側に、上記ドラムに固定された蓋を含み、上記蓋及び上記ドラムは共に、上記ゼンマイを収容するチャンバを形成する、時計ムーブメントに関し、上記ゼンマイは、４４〜４６％のコバルト、２０〜２２％のニッケル、１７〜１９％のクロム、４〜６％の鉄、３〜５％のタングステン、３〜５％のモリブデン、０〜２％のチタン、０〜１％のベリリウムを含み、２００〜２４０ＧＰａのヤング率及び８０〜１００ＧＰａの剪断弾性率を有する、多相のコバルト−ニッケル−クロムベースの合金製であり、９〜２１の幅厚比を有すること、並びに上記枢軸に対する鋼又はステンレス鋼製の上記コアの最大半径は上記ゼンマイの最大厚さの９倍未満であることを特徴とし、並びに上記ムーブメントは、少なくとも１つのシムワッシャを含む振動制限手段を含み、これは上記コアとは独立しており、上記コアの肩部によってガイドされ、上記地板と上記蓋との間又は上記受けと上記ドラムとの間に挿入されることを更に特徴とする。
【００１８】
本発明の特徴によると、上記ドラムは上記受け又は上記受けが支持するガイド部材において枢動し、上記ドラムの移動の終点を制限するために上記受け又は上記ガイド部材の相補的停止表面と協働するよう配設された軸方向支持肩部を含み、上記蓋は上記地板又は上記地板が支持するガイド部材において枢動し、上記蓋の移動の終点を制限するために上記地板又は上記ガイド部材の相補的停止表面と協働するよう配設された軸方向支持肩部を含み；上記コアは、上記ドラムの孔において枢動する第１の肩部及び上記蓋の孔において枢動する第２の肩部を含み、上記コアと上記ドラムとの間の相対的前後振動は、上記コアの第１の停止表面及び上記ドラムの第１の相補的内側停止表面によって制限され、上記コアと上記蓋との間の相対的前後振動は、上記コアの第２の停止表面及び上記蓋の第２の相補的内側表面によって制限される。
【００１９】
本発明の特徴によると、上記香箱アセンブリは、上記香箱アセンブリと、上記地板又は上記受けのうちの少なくとも一方との間の前後振動を制限する手段を含む。
【００２０】
本発明は更に、このタイプの少なくとも１つのエネルギ貯蔵用香箱アセンブリを有するこのタイプの少なくとも１つの時計ムーブメントを含む時計に関し、上記香箱アセンブリは、上記コアと一体として回転するよう設置される角穴車又は上記ドラムと一体として回転するよう設置されるドラム歯部のいずれかによって形成される１つの入力、及びこれら各場合のそれぞれに対して、上記ドラムと一体として回転するよう設置されるドラム歯部又は上記コアと一体として回転するよう設置される角穴車によって形成される１つの出力を有する。
【００２１】
本発明の他の特徴及び利点は、添付の図面を参照して以下の詳細な説明を読むことにより、より明らかになるであろう。
【図面の簡単な説明】
【００２２】
【図１】図１は、本発明の変形例による時計の香箱の、枢軸を通る平面における概略断面図である。
【図２】図２は、従来のコアを有する香箱の、枢軸を通る平面における概略断面図である。
【図３】図３は、シムワッシャを有する本発明の変形例による、図２の香箱アセンブリ及びコアの展開図である。
【図４】図４は、本発明の変形例による、隅肉の形態の支持部材を受けと角穴車との間に有する香箱の、枢軸を通る平面における概略部分断面図である。
【図５】図５は、本発明の変形例による、隅肉の形態の支持部材を、隅肉を備える受けとドラムとの間及び地板と香箱蓋との間に有する香箱の、枢軸を通る平面における概略部分断面図である。
【図６】図６は、本発明の変形例による、隅肉の形態の支持部材をドラムと受けとの間に有する（隅肉はドラム上にある）香箱の、枢軸を通る平面における概略部分断面図である。
【図７】図７は、従来のコアを有する香箱の、枢軸を通る平面における概略断面図である。
【図８】図８は、２つの部品からなる段差付きコアを有する本発明の変形例による、図２の香箱アセンブリ及びコアの展開図である。
【図９】図９は、本発明によるムーブメント及び香箱アセンブリを含む時計のブロック図である。
【図１０】図１０〜図１６は、本発明による時計用香箱の様々な変形例の、枢軸を通る平面における概略断面図である。図１０は、地板及び受けの２つの宝石でガイドされる単一部品のコアを有する変形例を示し、上記コアはドラム及び蓋を支持し、ドラムはその外面に、上側の受けの宝石と当接して協働するための隅肉を有する。
【図１１】図１１は図１０と同様の変形例を示し、蓋の面上に支持されるよう配設された、コア上に打ち込まれた調整ワッシャを含む。
【図１２】図１２は、地板及び受けの２つの宝石でガイドされる単一部品のコアを有する変形例を示し、上記コアはドラム及び蓋を支持し、ドラムはその外面に、上側の受けの宝石と当接して協働するための隅肉を有し、蓋は地板の宝石と協働するための同様の隅肉を有し、ゼンマイは第１の拡張コイルを含む。
【図１３】図１３は、２つの部品からなるコアを有する変形例を示し、香箱真と呼ばれる一方の部品は、受けの宝石にガイドされてドラムを支持し、コアと呼ばれるもう一方の部品は、地板の宝石にガイドされて蓋を支持し、蓋はその外面に、地板の宝石と当接して協働するための隅肉を有し、ゼンマイは拡張コイルを含み、これは第１のコイルではない。
【図１４】図１４は図１２と同様の、地板及び受けの２つの宝石でガイドされる単一部品のコアを有する変形例を示し、上記コアはドラム及び蓋を支持し、ドラムはその外面に、上側の受けの宝石と当接して協働するための隅肉を有し、蓋は地板の宝石と協働するための同様の隅肉を有し、ドラム及び蓋はコアの段差部上にクランプ留めされ、角穴車はネジ山が付いたコア上にネジ留めされる。
【図１５】図１５は、地板及び受けの２つの宝石でガイドされる単一部品のコアを有する変形例を示し、上記コアはドラム及び蓋を支持し、また、ドラムの内面に当接して協働するよう配設されたカラーを含む。
【図１６】図１６は図１４と同様の、地板及び受けの２つの宝石でそれぞれガイドされるドラム及び蓋を支持する単一部品のコアを有する変形例を示しの変形例を示し、ドラムはその外面に、上側の受けの宝石と当接して協働するための隅肉を有し、蓋は地板の宝石と協働するための同様の隅肉を有し、ドラム及び蓋はコアの段差部上にクランプ留めされ、角穴車はネジ山が付いたコア上にネジ留めされる。
【発明を実施するための形態】
【００２３】
本発明は時計学の分野に関し、より具体的にはムーブメント、時報動作又はその他の時計の機能に動力供給するためのエネルギ貯蔵香箱の分野に関する。
【００２４】
好ましい非限定的な実施形態では、本発明は、時計の香箱アセンブリ１に接合してこれを支持する受け１１から一定の距離にある少なくとも１つの地板１０を含む時計ムーブメント１００に関する。
【００２５】
この香箱アセンブリ１は少なくとも１つの香箱用ゼンマイ２を含み、このゼンマイ２は、上記受け１１のそばに配設された香箱ドラム３と、角穴車１２と一体として回転しかつ共通の軸線Ｄの周りでドラム３と同軸である香箱のコア４が備える受承表面５との間に、その第１の端部２１が香箱ドラム３上、第２の端部２２が受承表面５上にあるように設置される。香箱アセンブリ１は地板１０側に、ドラム３に固定された蓋７を含み、上記蓋７及び上記ドラム３は共に、ゼンマイ２を収容するチャンバ３２を形成する。
【００２６】
図面には様々な変形例を示す。
【００２７】
本発明によると、ゼンマイ２は、４４〜４６％のコバルト、２０〜２２％のニッケル、１７〜１９％のクロム、４〜６％の鉄、３〜５％のタングステン、３〜５％のモリブデン、０〜２％のチタン、０〜１％のベリリウムを含み、２００〜２４０ＧＰａのヤング率及び８０〜１００ＧＰａの剪断弾性率を有する、多相のコバルト−ニッケル−クロムベースの合金製である。このゼンマイ２は、３〜２３、より具体的には９〜２１の幅厚比を有する。
【００２８】
軸線Ｄに対する鋼又はステンレス鋼製のコア４の最大半径は、ゼンマイ２の最大厚さの９倍未満である。特に、図示した実施形態では、上記比を約５とすることができる。
【００２９】
更に、ムーブメント１００は振動制限手段を備える。図３の変形例では、この制限手段はシム手段又は移動制限手段を含み、これは、地板１０とドラム３の間又は受け１１とゼンマイ２を収容するチャンバ３２を形成するためにドラム３に固定された蓋７との間に挿入されるシムワッシャ７０を含む。このシムワッシャ７０はコア４とは独立しており、上記コア４が備える肩部４４によってガイドされ、地板１０と蓋７との間又は受け１１とドラム３との間に挿入される。
【００３０】
図３に示す変形例では、この少なくとも１つのシムワッシャ７０は好ましくはコア４の肩部４４によってガイドされ、より具体的には上記４４上に嵌め込まれる。
【００３１】
別の変形例では、振動制御手段は、受け１１とドラム３との間に挿入される第１のシムワッシャ７０及び地板１０と蓋７との間に挿入される第２のシムワッシャ７０を含む。
【００３２】
別の変形例では、シムワッシャ７０は、コア４が備える又はコア４と一体である香箱真１８及び蓋７とは独立しており、地板１０と蓋７との間に挿入される。
【００３３】
特定の変形例では、コア４は地板１０及び受け１１において直接枢動する。
【００３４】
図１、図１６に示す別の変形例では、コア４は地板１０及び受け１１において、それぞれ蓋７及びドラム３を介して間接的に枢動する。
【００３５】
図８に示す変形例では、コア４は２つの同軸部品４Ａ、４Ｂを有し、これらのうち一方の部品４Ｂは受け１１において直接枢動し、ドラム３の孔３５のためのガイド用肩部４３を有し、他方の部品４Ａは、地板１０において直接枢動し、ゼンマイ２を引っ掛けるためのフック４１を備える。
【００３６】
図８の同一の変形例では、ドラム３は、受け１１において又は受け１１が支持するガイド部材４０３において枢動し、ドラム３の移動の終点を制限するために受け１１又はガイド部材４０３の相補的停止表面１１９と協働するよう配設された軸方向支持肩部３９を含む。蓋７は、地板１０又は地板１０が支持するガイド部材１０８において枢動し、蓋７の移動の終点を制限するために地板１０又はガイド部材１０８の相補的停止表面１０９と協働するよう配設された、軸方向支持肩部７９を含む。
【００３７】
コア４は、ドラム３の孔３５において枢動する第１の肩部４３及び蓋７の孔７５において枢動する第２の肩部４４を含む。コア４とドラム３との間の相対的前後振動は、コア４の第１の停止表面４０３０及びドラム３の第１の相補的内側停止表面３１によって制限される。コア４と蓋７との間の相対的前後振動は、コア４の第２の停止表面４０７及び蓋７の第２の相補的内側停止表面７１によって制限される。
【００３８】
有利には、図１、１６に示すように、ドラム３のこの軸方向支持肩部３９及び／又は蓋７の軸方向支持肩部７９は、表面接触を低減するために、隅肉２０２、２０７で形成される。隅肉２０２、２０７は、受け１１又は地板１０が支持するガイド部材４０３、１０８上に支持される。
【００３９】
特に図８に示すように、ムーブメント１００は有利には、香箱アセンブリ１と地板１０又は受け１１のうちの少なくとも一方との間の前後振動を制限するための手段６を含む。
【００４０】
ある変形例では、この制限手段は、地板１０及び／又は受け１１におけるドラム３及び／又は蓋７の直接的な枢動をガイドする手段を含む。
【００４１】
この制限手段は、有利にはシム手段又は地板１０及び／若しくは受け１１に対するドラム３及び／若しくは蓋７の移動を制限する手段を含む。
【００４２】
図６に示す変形例では、制限手段は、ドラム３の外側表面３０から地板１０若しくは受け１１と反対側に突出する少なくとも１つの縁部２０２、及び／又は図５に示すように、地板１０若しくは受け１１の外側表面から突出してドラム３の外側表面３０に面する少なくとも１つの縁部１０２を含む。
【００４３】
図５に示す変形例では、制限手段は、蓋７の外側表面７６から地板１０若しくは受け１１と反対側に突出する少なくとも１つの縁部２０７、及び／又は地板１０若しくは受け１１の外側表面から突出して蓋７の外側表面７６に面する少なくとも１つの縁部１０７を含む。
【００４４】
有利には図５の変形例からわかるように、コア４が支持する角穴車１２の外側表面１２１から地板１０若しくは受け１１と反対側に突出する少なくとも１つの縁部２０１、及び／又は地板１０若しくは受け１１の外側表面から突出して角穴車１２の外側表面１２１に面する少なくとも１つの縁部１０１を、制限手段に追加する。
【００４５】
特定の実施形態では、受承表面５は、軸線Ｄを中心にして回転した時に形成される回転表面である。
【００４６】
変形実施形態では、ゼンマイ２は摩擦によってコア４に固定される。
【００４７】
有利な好ましい実施形態では、ゼンマイ２は、コア４と共に、単一部品の、溶接若しくはハンダ付け又はこれらと同等の方法で形成されたゼンマイ−コアサブアセンブリを形成する。摩擦又は溶接若しくはこれと同等の方法によって固定されるこれら２つの変形例は、ゼンマイを引っ掛けるフックを省略できることを意味する。
【００４８】
本発明は、このようなコア直径の低減を達成するための複数の解決法を考慮するものであり、これは香箱に貯蔵されるエネルギを増大させることができる。
【００４９】
本発明が提案する様々な手段を互いに組み合わせて、利用可能な空間、角穴車の位置、香箱を閉鎖するための（この機能は角穴車によっても実施できるが）蓋の存在又は不在に応じて最適な結果を得ることができる。
【００５０】
第１の解決法は、特にゼンマイを突起等の突出領域、フランジを追加する積層領域等に固定することによって、振動調整機能をゼンマイに付与することにより、ゼンマイによるドラムとカバーとの間の振動を提供することからなる。これにより、ドラムを支持する肩部及び香箱真又はコア上の蓋が不要となる。
【００５１】
第２の解決法は、特に２つ又は３つである複数の部分からコアを形成することからなる。この解決法により、特にドラムの枢動直径よりも小さな直径のコアを形成することが可能となる。有利には、コアはドラムの孔を通して挿入される。香箱真又はコアを２つ以上の部分で形成することにより、ゼンマイの目玉部を引っ掛けるフックの機械加工が容易になる。
【００５２】
コアは、角穴車を駆動するための従来の四角形部分又はネジ山を含んでよい。或いは限定するものではないが、第２の変形例において、コアは地板及び受け内でコアをガイドするための１つ又は複数の直径調整用ワッシャ又はリングを含んでもよい。
【００５３】
別の解決法は、ワッシャをコアに打ち込んでドラム−蓋振動を調整することからなる。このワッシャは、香箱への干渉が必要となった場合に受けのいずれの分解を防止するよう設置される。
【００５４】
更に別の解決法は、香箱真又コア上で起こる枢動ではなく、受けでのドラム及び／又は蓋の枢動を提供することからなる。有利には、ドラム及び蓋の両方は地板及び受けにおいて枢動する。
【００５５】
本発明によって提案される異なる変形例によって、機械加工、組立て及び分解、並びに様々な構成部品間の前後振動及び受けに対する前後振動の制御が容易となることが保証される。
【００５６】
以下の２種類の前後振動を考慮する必要がある。
−香箱「単独」の前後振動、並びに
−１つ又は複数のエボーシュ（これ以降簡略化のために地板及び受けと呼ぶが、限定するものではない）を有する香箱の前後振動。
【００５７】
これらの前後振動は互いに対して加算されるため、設計にあたってこれら両方を考慮しなければならない。
【００５８】
本発明は、コア直径を可能な限り低減しようとする努力を発端とするものである。従って、本発明は、一方の振動又は他方の振動又はその両方を補償するための新しい解決法を手供することを目的とする。
【００５９】
従って本発明は、香箱「単独」の振動を補償するための択一的な解決法を実装するために考案され、
−香箱ドラム及び／又は香箱蓋と、コアの構造に応じて香箱真の肩部及び／又はコアの肩部とを接触させ、
−ゼンマイと香箱ドラム及び／又は香箱蓋とを、１つ又は複数の表面において接触させる。
【００６０】
ゼンマイとゼンマイを収容するチャンバ（チャンバがドラム及び蓋、ドラム及び角穴車、又はドラム及び受けのいずれによって形成されるかに関わらず）の１つ又は複数の内側表面との間の接触を有するこの実施形態では、以下の複数の変形例が可能である：
−コアの受承表面と接触するゼンマイの第１の内側コイルが、他のコイルより高い変形例；
−コアの肩部と協働せず、ドラム又は蓋等の内側表面と直接協働するようにコアから十分に離間した別のコイルが、他のコイルより高い変形例；
−いくつかのコイルが他のコイルより高い変形例；
−他のコイルより高いコイルが、ゼンマイに少なくとも１つ追加される変形例；又は
−ゼンマイとチャンバの内壁との間の振動制限接触を保証するために、ドラム及び／又は蓋が、ゼンマイと対面する内面上に１つ又は複数の隆起部、縁部、隅肉等を含む変形例。
ここでは「隅肉」とは、重力若しくはユーザの運動による加速の影響下において、機構内の遊び補償によって構成部品を互いに対して押し付ける際に、別の構成部品の隣接する表面に当接して協働するために、表面から突出した表面、好ましくは回転の表面を意味する。
【００６１】
香箱アセンブリが組込まれたエボーシュによって実現される香箱の振動の補償に関して、本発明は以下の複数の変形例を提供する：
−（コアの設計に応じて）コアの肩部又は香箱真の肩部と、エボーシュの地板又は受けが備える宝石又はガイド要素との間の接触；
−香箱ドラム及び／又は香箱蓋と、地板又は受けに嵌め込まれた宝石又は同等のガイド手段との間の、ドラム及び／又は蓋の面に配設された隆起部、縁部、隅肉等を介した接触；
−香箱ドラム及び／又は香箱蓋と、地板又は受けに嵌め込まれた宝石又は同等のガイド手段との間の、地板及び／又は受けの面に配設された隆起部、縁部、隅肉等を介した接触。
【００６２】
図面は、本発明の複数の可能な組み合わせのうち、特定の実施形態を示す。
【００６３】
本発明によると、ムーブメント１００は、香箱アセンブリ１と、香箱アセンブリ１が備える少なくとも１つの地板１０又は受け１１との間の前後振動を制限する手段６を含む。
【００６４】
この制限手段は：
−シム手段、又は地板若しくは受け１１に対するドラム３及び／若しくはドラム３に固定されてこれと共にゼンマイ２を収容するチャンバ３２を形成する蓋７の移動を制限する手段によって形成されるか；又は
−ドラム３及び／又はドラム３に固定されてこれと共にゼンマイ２を収容するチャンバ３２を形成する蓋７の、地板１０及び／又は受け１１における枢動を直接ガイドする手段によって形成されるか；又は
−シム手段又は移動制限手段と、香箱アセンブリ１と少なくとも１つの地板１０又は受け１１との間の振動を枢軸方向Ｄにおいて制限するための枢動ガイド手段との組み合わせによって形成される。
【００６５】
図４〜図６は、図４では受け１１と角穴車１２との間、並びに隅肉１０２及びドラム３を支持する受け１１と、香箱１の地板１０及び蓋７との間それぞれの、隅肉の形態の支持を図示する。図５ではこの蓋７は隅肉２０７を備え、図５はまた、隅肉１０７を備える地板１０及び隅肉１０２を備える受け１１を示し、これらはそれぞれ蓋７及びドラム３と協働する。
【００６６】
この支持用隅肉は、ドラム３と受け１１との間に形成され、図６ではドラム３上に隅肉２０２が存在する。
【００６７】
図８は、２つの段差付き部分４Ａ、４Ｂからなるコア４を示し、部分４Ｂはドラム３の孔３５のためのガイド用肩部を含む。主部分４Ａは、肩部１８２の下端８７において地板１０に嵌め込まれた宝石にガイドされ、蓋７は、蓋７の孔７５と協働するフランジ４Ａの肩部４４上にガイドされる。部分４Ｂは、受け１１の上端８６において受け１１に嵌め込まれた宝石の肩部１８１にガイドされる。この図は、ゼンマイ２をフック４１に引っ掛ける従来の様式を示す。
【００６８】
図１０は、図５の構成とは逆の構成を示し、図１０ではドラム３が、受け１１に嵌め込まれた宝石３０２と当接して協働するよう設計された隅肉２０２及びコアの肩部４３をガイドする孔を有する宝石３０２を支持する。この特定の変形例では、同一の円筒形肩部４３が、ドラム３の枢動をガイドするよう延伸する。
【００６９】
宝石への隅肉の移動によって、隅肉と宝石との間の摩擦トルクを制御してこれを極めて低い値に維持できる。
【００７０】
図１０では、コアと、組立て済みの香箱アセンブリとの間の振動は、コア４の肩部４３Ａ、４３Ｂ上でのドラム３及び蓋７の支持を制限することによって与えられる。
【００７１】
エボーシュに対する香箱アセンブリの振動は、コア４の軸方向の遊びによって画定され、これは宝石３０２の反対側のドラム３の隅肉２０２によって制限される。
【００７２】
図１０の変形例は、ドラム３と角穴車１２との間に受け１１を挿入した状態を示す。
【００７３】
図１１はまた、受け１１に嵌め込まれた宝石３０２と協働するよう配設されたドラム３の隅肉２０２を示す。
【００７４】
コア４は、その肩部４４のうちの１つに嵌め込まれたワッシャ７０を備える。軸方向に空間を提供するために、ワッシャ７０は上方に嵌め込まれる。
【００７５】
香箱アセンブリに対するコアの振動は、蓋７の底部軸受け表面７３に対するワッシャ７０のクリアランスによって制限される。
【００７６】
エボーシュに対する香箱の振動は、地板１０の宝石７０２に対してはコア４によって、受け１１に対してはドラム３の隅肉２０２によって制限される。
【００７７】
図１２はまた、受け１１に嵌め込まれた宝石３０２と協働するよう配設されたドラム３の隅肉２０２、及び地板１０に嵌め込まれた宝石７０２と協働するよう配設された蓋７の隅肉２０７を示す。
【００７８】
図１２では、香箱単独の前後振動は、ここでは第１の拡張コイルの形態で示される突出領域２３を有するゼンマイ２によって保証され、この突出領域２３は、コア４の位置に応じて、ドラム３の内側表面３１又は蓋７の内側表面７１と直接協働する。受けにおける香箱の振動は、ドラム及び蓋の外側において、一方の側では隅肉２０２、他方の側では隅肉２０７によって保証される。
【００７９】
図１３は、地板１０に嵌め込まれた宝石７０１と協働するよう配設された蓋７の隅肉２０７を示す。
【００８０】
コアは２つの部品、即ち、香箱真１８の軸受け表面１８Ａを介して軸方向に制限されつつ香箱真１８上に嵌め込まれた、ゼンマイ２を支持するコア４自体、及びコア４の反対側の軸受け面４９である。
【００８１】
ゼンマイ２の内側端部２２を支持するコア４は、香箱真１８の肩部８４と協働するコアの孔４１１を含む。
【００８２】
香箱単独の振動はゼンマイ２によって補償され、このゼンマイ２は突出領域２３を有し、突出領域２３はここでは、香箱真の底部肩部１８９Ａ上ではなくドラム３の内側表面３１上に支持されるように軸から十分に離間した、追加のフランジ又はコイルである。
【００８３】
従って、エボーシュによって実現される香箱の振動は、受け１１の宝石３０２と軸受け接触するよう配設された香箱真１８の上側肩部１８９Ｂによって、及び地板１０の宝石７０２上への蓋７の隅肉２０７の接触によって保証される。
【００８４】
図１４はまた、受け１１に嵌め込まれた宝石３０２と協働するよう配設されたドラム３の隅肉２０２、及び地板１０に嵌め込まれた宝石７０２と協働するよう配設された蓋７の隅肉２０７を示す。
【００８５】
エボーシュにおける香箱全体の振動の補償は、図１２と同様の方法でもたらされ、エボーシュに対する香箱単独の振動は、コア４の肩部４０７と蓋７又はコア４の肩部４０３とドラム３それぞれの接触によって補償される。
【００８６】
図１４は、コア４の雄ネジ山上にネジ留めされる雌ネジ山を含む角穴車１２を示す。
【００８７】
図１５は、底部カラー４０を有するコア４を有する有利な変形例を示し、カラー４０は、ドラム３の内面３１上に軸受け面４０１を介して支持されるよう配設される。
【００８８】
香箱アセンブリに対するコアの振動は、コア４の軸受け面４０Ａ、４０７それぞれに対するドラム３及び蓋７の振動によって制限される。
【００８９】
エボーシュに対する香箱アセンブリの振動は、コア４の対向する軸受け面４９Ａ、４９Ｂそれぞれと、地板１０の宝石７０２及び受け１１の宝石３０２との間の接触によって画定される。
【００９０】
機械加工を単純化するために、コア４は有利には、複数の同軸の部品で形成される。
【００９１】
図１６は、図１４のバージョンの変形例である。このバージョンでは、振動は同じ様式で補償される。しかしながら、ドラム３及び蓋７の枢動がそれぞれエボーシュの受け１１及び地板１０において直接生じるため、ガイド部材が異なる。この配置により、拡張枢動直径による軸方向の遊びのより良好な制御を提供する。
【００９２】
本発明はまた、このタイプの少なくとも１つの時計ムーブメント１００及び／又はこのタイプの少なくとも１つのエネルギ貯蔵用香箱アセンブリ１を含む時計１０００にも関し、このアセンブリ１は、コア４と一体として回転するよう設置される角穴車１２又はドラム３と一体として回転するよう設置されるドラム歯部１３のいずれかによって形成される１つの入力、及びこれら各場合のそれぞれに対して、ドラム３と一体として回転するよう設置されるドラム歯部１３又はコア４と一体として回転するよう設置される角穴車１２によって形成される１つの出力を有する。
【００９３】
本発明は、直径が極めて小さいコアを形成する手段、並びに従って、ムーブメント機構又は時報機構又は同様の機構の動力貯蔵性能及びパワーリザーブを向上させる手段を提供する。
【００９４】
構成部品の摩耗を制限するため及び機構の信頼性を向上するために振動を制御することは、重要である。
【図１】
0005755375.tif 000002
【図２−３】
0005755375.tif 000003
【図４】
0005755375.tif 000004
【図５】
0005755375.tif 000005
【図６】
0005755375.tif 000006
【図７−８】
0005755375.tif 000007
【図９】
0005755375.tif 000008
【図１０】
0005755375.tif 000009
【図１１】
0005755375.tif 000010
【図１２】
0005755375.tif 000011
【図１３】
0005755375.tif 000012
【図１４】
0005755375.tif 000013
【図１５】
0005755375.tif 000014
【図１６】
0005755375.tif 000015